(57)【特許請求の範囲】
【請求項１】
複数の試薬パッドが長手方向に配列された短冊状の試験紙に付着した余剰液を吸引する余剰液吸引機構であって、
前記試験紙が載置されるテーブルと、
前記試験紙に対向する面に形成された孔部と該孔部に連通する内部空間とを有し、前記テーブル上に載置された前記試験紙を該試験紙の幅方向に押してスライド移動させるスライド機構と、
前記スライド機構における前記内部空間内の前記余剰液を吸引する吸引装置とを備え、
前記スライド移動中の前記試験紙を上下に移動させることが可能な凸部、凹部および段差部のうち少なくとも１つが前記テーブル上に形成された、余剰液吸引機構。
【請求項２】
複数の試薬パッドが長手方向に配列された短冊状の試験紙に付着した余剰液を吸引する余剰液吸引機構であって、
前記試験紙が載置されるテーブルと、
前記試験紙に対向する面に形成された孔部と該孔部に連通する内部空間とを有し、前記テーブル上に載置された前記試験紙を該試験紙の幅方向に押してスライド移動させるスライド機構と、
前記スライド機構における前記内部空間内の前記余剰液を吸引する吸引装置とを備え、
各々の前記試薬パッドにおける前記スライド機構の前記孔部に面する部分が前記試薬パッドに付着した余剰液を前記孔部に流入させるのに適した高さを通過するように、前記スライド移動中の前記試験紙を該試験紙の幅方向に傾けることが可能な凸部、凹部および段差部のうち少なくとも１つが前記テーブル上に形成された、余剰液吸引機構。
【請求項３】
複数の試薬パッドが長手方向に配列された短冊状の試験紙に付着した余剰液を吸引する余剰液吸引機構であって、
前記試験紙が載置されるテーブルと、
前記試験紙に対向する面に形成された孔部と該孔部に連通する内部空間とを有し、前記テーブル上に載置された前記試験紙を該試験紙の幅方向に押してスライド移動させるスライド機構と、
前記スライド機構における前記内部空間内の前記余剰液を吸引する吸引装置とを備え、
前記スライド移動中の前記試験紙を前記スライド機構に向けて押し付けることが可能な凸部、凹部および段差部のうち少なくとも１つが前記テーブル上に形成された、余剰液吸引機構。
【請求項４】
前記テーブルの主表面から突出し、前記試験紙のスライド移動方向に延びるように複数のレールが形成され、
前記凸部、前記凹部または前記段差部は、前記レール上に形成されている、請求項１から請求項３のいずれかに記載の余剰液吸引機構。
【請求項５】
前記試験紙における前記試薬パッドの呈色の度合いに基づいて化学分析を行なう化学分析装置であって、
請求項１から請求項４のいずれかに記載の余剰液吸引機構を備えた、化学分析装置。
【発明の詳細な説明】
【技術分野】
【０００１】
本発明は、余剰液吸引機構および化学分析装置に関し、特に、短冊状の試験紙に付着した余剰液（余剰試料）を吸引するための余剰液吸引機構および該吸引機構を備えた化学分析装置に関する。
【背景技術】
【０００２】
たとえば尿などの液体試料の検査を行なう方法として、複数の試薬パッドが長手方向に配列された短冊状の試験紙を液体試料に浸漬させ、上記試薬パッドの呈色の度合いを光学的に検知することにより、複数の項目の検査を行なうことが従来から行なわれている。
【０００３】
上記のような検査を行なう際、各々の試薬パッドに過剰な量の液体試料が供給されると、試薬パッドから試薬が溶出して呈色の度合いが低くなったり、隣接する試薬パッドどうしの試薬が混ざり合ったりして、正確な検査が行なえなくなる場合がある。したがって、試験紙に付着した過剰な液体試料（本願明細書では、これを「余剰液」と称する。）を除去することが望ましい。
【０００４】
上記のような観点から開発された余剰液を除去するための装置が、たとえば、特開２００４−１７７２０３号公報（特許文献１）、特開２０００−２５８４１３号公報（特許文献２）および特開２００３−３１５２２４号公報（特許文献３）などに記載されている。
【特許文献１】特開２００４−１７７２０３号公報
【特許文献２】特開２０００−２５８４１３号公報
【特許文献３】特開２００３−３１５２２４号公報
【発明の開示】
【発明が解決しようとする課題】
【０００５】
試験紙に付着した余剰液を吸引する機構として、当該試験紙をその幅方向に押してスライド移動させながら余剰液を吸引する機構が考えられる。この場合、試験紙を押すスライド機構に孔部を設けて当該孔部に余剰液を流入させる。
【０００６】
しかしながら、試験紙は比較的薄いため反りが発生しやすく、このため、各々の試薬パッドの高さが安定しない傾向にある。また、各々の試薬パッドごとに高さが異なる場合がある。したがって、必ずしも、各々の試薬パッドに付着した余剰液をスライド機構の孔部に流入させるのに適した高さに該試薬パッドを位置させることができない場合がある。この結果、余剰液の吸引効率が低下することが懸念される。
【０００７】
なお、特許文献１〜３には、上記の課題を解決可能な構成は記載されておらず、試験紙を幅方向に押してスライド移動させながら余剰液を吸引する機構において、試験紙の反りや各々の試薬パッドの高さの違いに起因して生じる吸引効率の低下の問題は、特許文献１〜３に記載の発明によっては解決されない。
【０００８】
本発明は、上記のような問題に鑑みてなされたものであり、本発明の目的は、余剰液の吸引効率の高い余剰液吸引機構および該吸引機構を備えた化学分析装置を提供することにある。
【課題を解決するための手段】
【０００９】
本発明に係る余剰液吸引機構は、複数の試薬パッドが長手方向に配列された短冊状の試験紙に付着した余剰液を吸引する余剰液吸引機構であって、試験紙が載置されるテーブルと、試験紙に対向する面に形成された孔部と該孔部に連通する内部空間とを有し、テーブル上に載置された試験紙を該試験紙の幅方向に押してスライド移動させるスライド機構と、スライド機構における内部空間内の余剰液を吸引する吸引装置とを備える。ここで、凸部、凹部および段差部のうち少なくとも１つがテーブル上に形成される。
【００１０】
１つの局面では、凸部、凹部および段差部は、スライド移動中の試験紙を上下に移動させることが可能である。
【００１１】
上記構成によれば、試験紙の反りや各々の試薬パッドごとの高さの違いが存在する場合にも、各々の試薬パッドが該試薬パッドに付着した余剰液をスライド機構の孔部に流入させるのに適した高さを通過するように、スライド移動中の試験紙を上下移動させることができる。この結果、各々の試薬パッドに付着した余剰液が吸引されやすくなる。
【００１２】
他の局面では、凸部、凹部および段差部は、各々の試薬パッドにおけるスライド機構の孔部に面する部分が該試薬パッドに付着した余剰液を上記孔部に流入させるのに適した高さを通過するように、スライド移動中の試験紙を該試験紙の幅方向に傾けることが可能である。
【００１３】
上記構成によれば、試験紙の反りや各々の試薬パッドごとの高さの違いが存在する場合にも、各々の試薬パッドにおけるスライド機構の孔部に面する部分が該試薬パッドに付着した余剰液を上記孔部に流入させるのに適した高さを通過するように、スライド移動中の試験紙を傾斜させることができる。この結果、各々の試薬パッドに付着した余剰液が吸引されやすくなる。
【００１４】
さらに他の局面では、凸部、凹部および段差部は、スライド移動中の試験紙をスライド機構に向けて押し付けることが可能である。
【００１５】
上記構成によれば、スライド移動中の試験紙がスライド機構に向けて押し付けられることにより、余剰液が付着した試薬パッドとスライド機構の孔部とが密着し、各々の試薬パッドに付着した余剰液が吸引されやすくなる。また、試験紙の方向のずれ（位置ずれ）を吸収するという効果も期待できる。
【００１６】
好ましくは、上記余剰液吸引機構において、テーブルの主表面から突出し、試験紙のスライド移動方向に延びるように複数のレールが形成され、凸部、凹部または段差部は、レール上に形成されている。
【００１７】
上記構成によれば、試験紙がレール上をスライド移動するため、試験紙のスライド抵抗が減少する。また、孔部に流入しない余剰液はレール間に流下するため、当該余剰液が他の試験紙に触れることがない。そして、当該レール上に上記の凸部、凹部または段差部を形成することにより、簡単な構造により、各々の試薬パッドに付着した余剰液が吸引されやすくなるという効果を得ることができる。
【００１８】
本発明に係る化学分析装置は、試験紙における試薬パッドの呈色の度合いに基づいて化学分析を行なう化学分析装置であって、上述した余剰液吸引機構を備える。
【発明の効果】
【００１９】
本発明によれば、各々の試薬パッドに付着した余剰液を孔部に流入させやすくすることにより、余剰液吸引機構における余剰液の吸引効率を向上させることができる。
【発明を実施するための最良の形態】
【００２０】
以下に、本発明の実施の形態について説明する。なお、同一または相当する部分に同一の参照符号を付し、その説明を繰返さない場合がある。
【００２１】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。また、以下に複数の実施の形態が存在する場合、特に記載がある場合を除き、各々の実施の形態の構成を適宜組合わせることは、当初から予定されている。
【００２２】
図１は、本発明の１つの実施の形態に係る化学分析装置の構成を示す分解斜視図である。図１を参照して、本実施の形態に係る化学分析装置は、尿を検体として所定の項目について検査を行なうための尿化学分析装置である。尿化学分析装置１は、本体１００と、本体１００に着脱可能に取り付けられるテーブル２００と、テーブル２００に取り付けられるプッシュバー３００と、テーブル２００に隣接するように本体１００に挿入される廃棄トレイ４００とを含んで構成される。
【００２３】
本体１００は、タッチスクリーン１１０と、プリンタ１２０と、測定部１３０とを含んで構成される。「操作・表示部」としてのタッチスクリーン１１０上には、操作ボタン等が表示される。尿化学分析装置１の使用者は、タッチスクリーン１１０を押圧することによって、分析を開始したり、終了したりするなどの操作を行なう。「出力部」としてのプリンタ１２０は、各々の検体尿についての各検査項目の検査結果を出力する。測定部１３０は、光源（たとえば白色ＬＥＤや陰極蛍光ランプなど）および検出器（たとえばフォトダイオード）を含む反射光学系の測定装置である。尿化学分析装置１によって尿検査を行なう際は、まず、測定者が検体尿を後述する尿検査用の試験紙に吸収させ、テーブル２００上に載置する。テーブル２００上に載置された試験紙は、プッシュバー３００によってスライド移動させられた後、後述する搬送機構によって測定部１３０の直下に移動させられる。そして、測定部１３０によって、試験紙上に設けられた各試薬パッドの呈色度合いが測定され、これにより、検体尿中の種々の化学成分の測定が行なわれる。その後、試験紙は、テーブル２００上をさらに移動して、テーブル２００上から廃棄トレイ４００内に投下される。このように、検体尿に浸した試験紙をテーブル２００の所定の位置に載置するだけで、検体尿の化学成分の測定を自動的かつ連続的に行なうことができる。
【００２４】
なお、搬送機構は、試験紙を測定部１３０の直下に搬送するまでに所定の時間（たとえば３０秒〜１２０秒程度）を要するように設定されている。これにより、検体尿と試薬との反応時間が確保される。
【００２５】
尿化学分析装置１による検査項目としては、たとえば、ウロビリノーゲン濃度、亜硝酸塩濃度、ビリルビン濃度、ケトン体濃度、蛋白質濃度、ブドウ糖濃度、ｐＨ、潜血、白血球濃度などが挙げられる。
【００２６】
図２は、尿化学分析装置１におけるテーブル２００の周辺を示す上面図である。図２を参照して、テーブル２００は、プッシュバー３００の移動方向（矢印ＤＲ１方向）に延びる複数本のレール２１０を有する。レール２１０は、テーブル２００の上面から上方（図２における紙面の手前側）に突出するように形成されている。また、テーブル２００は、プッシュバー３００により供給された試験紙を測定部１３０に向けて搬送する持ち上げ板２２０を有する。さらに、テーブル２００は、レール２１０と同様に、テーブル２００の上面から上方に突出するように形成されたガイド部２３０を有する。ガイド部２３０の突出高さは、レール２１０の突出高さよりも高い。
【００２７】
検体尿を吸収させた試験紙は、テーブル２００における載置部２００Ａ上に載置される。試験紙は、その先端を奥側（図２における上側）のガイド部２３０に接触させるように載置される。このようにすることで、試験紙の矢印ＤＲ２方向の位置決めを行なうことができる。
【００２８】
載置部２００Ａ上に試験紙が載置されたことが検知されると、プッシュバー３００が矢印ＤＲ１方向に動き、試験紙は矢印ＤＲ１方向にスライド移動し、持ち上げ板２２０上に達する。なお、プッシュバー３００は、所定の時間毎（たとえば６秒毎）に動作するように設定されている。したがって、持ち上げ板２２０上には、所定の間隔で試験紙が供給される。
【００２９】
上述した「搬送機構」としての持ち上げ板２２０は、プッシュバー３００と同様に、所定の時間毎（たとえば６秒毎）に試験紙を持ち上げながら該試験紙を測定部１３０の直下に向けて所定量だけ移動させる。このようにして、測定部１３０の直下には、持ち上げ板２２０上に達してから所定の時間が経過した試験紙が順次搬送されてくる。測定部１３０は、各試薬パッドの呈色の度合いを測定する。これにより、複数の検体尿の検査を、所定の時間毎（たとえば６秒毎）に連続的に行なうことができる。測定部１３０による測定結果は、プリンタ１２０から出力することが可能である。測定部１３０を通過した検査後の試験紙は、持ち上げ板２２０によってテーブル２００上から廃棄トレイ４００に投下される。
【００３０】
尿化学分析装置１を用いて検査を行なう際、各々の試薬パッドに過剰な量の検体尿が供給されると、試薬パッドから試薬が溶出して呈色の度合いが低くなったり、隣接する試薬パッドどうしの試薬が混ざり合ったりして、正確な検査が行なえなくなる場合がある。したがって、試験紙に付着した過剰な検体尿（余剰尿）は、可能な限り除去することが望ましい。本実施の形態に係る尿化学分析装置１では、上記の余剰尿を吸引するための余剰尿吸引機構が設けられている。
【００３１】
図３は、尿化学分析装置１に含まれる余剰尿吸引機構の構成を模式的に示す図である。図３を参照して、本実施の形態に係る余剰尿吸引機構は、プッシュバー３００に形成された吸引口３１０と、吸引口３１０に連通するプッシュバー３００の内部空間３２０とを含んで構成される。
【００３２】
図３（および図４）に示すように、吸引口３１０は、短冊状の試験紙２に設けられた複数の試薬パッド２Ａに対応する位置に設けられている。吸引口３１０からプッシュバー３００の内部空間３２０内に流入した余剰尿は、吸引ポンプ５００により吸引される。プッシュバー３００による余剰尿の吸引は、プッシュバー３００により試験紙２を矢印ＤＲ１方向に押しているときに行なわれる。なお、プッシュバー３００は、駆動機構６００により矢印ＤＲ１方向に駆動される。駆動機構６００は、モータ６１０およびボールねじ６２０を含んで構成される。モータ６１０の回転力がボールねじ６２０によって直進方向の力に変換され、当該直進力がプッシュバー３００に伝達される。
【００３３】
図５，図６は、それぞれ、図３に示される余剰尿吸引機構を矢印Ｖ，矢印ＶIの方向から見た図である。図５，図６に示すように、試験紙２は、レール２１０によって支持されながら、プッシュバー３００に押されることによってスライド移動する。
【００３４】
試験紙２は比較的薄い部材であるため、上記のようにレール２１０によって支持することで反りが発生しやすく、各々の試薬パッド２Ａの高さが安定しない傾向にある。また、試験紙２上の複数の試薬パッド２Ａは、それぞれに高さが異なる場合がある。したがって、各々の試薬パッド２Ａをプッシュバー３００の吸引口３１０に対応した高さに位置させることができない場合が生じることが懸念される。
【００３５】
上記のような問題に鑑みて、本実施の形態に係る尿化学分析装置においては、図５に示すように、レール２１０上に凸部２１１が設けられている。なお、凸部２１１は、典型的には、試験紙２の長手方向（矢印ＤＲ２方向）に並ぶように、複数のレール２１０上に設けられている。
【００３６】
次に、図７を用いて、凸部２１１上を通過する試験紙２の挙動について説明する。試験紙２が凸部２１１の手前に位置するときは、図７（ａ）に示すように、試験紙２は比較的低い高さに位置している。次に、試験紙２が凸部２１１上に達すると、まず、図７（ｂ）に示すように、試験紙２は、プッシュバー３００に近い側が下がるように（プッシュバー３００から遠い側が上がるように）傾斜する。次に、試験紙２が凸部２１１を登りきると、図７（ｃ）に示すように、試験紙２は、図７（ａ）の状態に対して比較的高い高さに位置する。そして、試験紙２が凸部２１１上から離れようとするときは、試験紙２は、プッシュバー３００に近い側が上がるように（プッシュバー３００から遠い側が下がるように）傾斜する。以上のように、プッシュバー３００に押される試験紙２が凸部２１１を通過することにより、試験紙２は幅方向に傾きながら上下に移動する。これにより、試験紙２における吸引口３１０に面する部分の高さが変動し、余剰尿の吸引に適した試薬パッド２Ａと吸引口３１０との位置関係（高さ関係）を確実に得ることができる。
【００３７】
なお、凸部２１１の形状は、適宜変更可能であるが、典型的には、レール２１０の高さがたとえば１ｍｍ〜２ｍｍ程度であるのに対し、凸部２１１の高さはたとえば０．５ｍｍ程度である。すなわち、レール２１０の高さに対する凸部２１１の高さの割合は、たとえば２５％〜５０％程度である。また、凸部２１１は台形状に形成されているが、この台形の斜辺の傾斜角度は、たとえば３０°〜４５°程度である。なお、凸部２１１の形状は、台形状に限定されず、たとえば半円状に形成されてもよい。
【００３８】
次に、図８〜図１１を用いて、プッシュバー３００の構成についてより詳細に説明する。図８は、プッシュバー３００を試験紙２側から見た状態を示す図であり、図９（図８中のIＸ−IＸ断面図に相当）は、プッシュバー３００による試験紙２の押出機能を説明する図である。また、図１０，図１１は、それぞれ、図８，図１０におけるＸ−Ｘ断面図，ＸI−ＸI断面図である。
【００３９】
図８に示すように、プッシュバー３００には、試薬パッド２Ａに対応する位置に複数の吸引口３１０が形成されている。なお、吸引口３１０からのみならず、プッシュバー３００の長手方向（図８における左右方向）の全体から余剰尿を吸引するようにしてもよい。
【００４０】
プッシュバー３００は、第１部材３３０、第２部材３４０および第３部材３５０を含んで構成される。第１〜第３部材３３０，３４０，３５０は、それぞれ樹脂製の部材である。第３部材３５０には、押出部材３６０が取り付けられている。図９に示すように、押出部材３６０は、ピン３６１およびスプリング３６２を介して第３部材３５０に取り付けられている。プッシュバー３００が試験紙２を持ち上げ板２２０に向けて押しているときは、押出部材３６０は第１部材３３０および第２部材３４０よりも若干後方側に位置し、試験紙２には接触しない状態にある（図９（ａ））。他方、プッシュバー３００が持ち上げ板２２０近傍に達すると、押出部材３６０は、本体１００に固定されたリリース棒３７０に当接し、ピン３６１を中心に矢印ＤＲ３６０方向に回動する。これにより、押出部材３６０は第１部材３３０および第２部材３４０よりも前方側に突出し、試験紙２を持ち上げ板２２０に向けて押し出す（図９（ｂ））。このようにすることで、試験紙２が第１部材３３０および第２部材３４０に付着したままプッシュバー３００が元の位置（持ち上げ板２２０から離れた位置）に戻ることを抑制し、試験紙２を確実に持ち上げ板２２０上に移動させることができる。なお、プッシュバー３００がリリース棒３７０から離れると、スプリング３６２の付勢力により、押出部材３６０は、再び図９（ａ）の状態に戻る。
【００４１】
図１０，図１１に示すように、プッシュバー３００の内部空間は、主配管３２１と、主配管３２１から枝分かれした複数の副配管３２２とによって構成される。主配管３２１は、第１部材３３０に長手方向の孔を設けることにより形成される。副配管３２２は、第１部材３３０の側面に溝部を設け、該溝部を覆うように第２部材３４０を取り付けることにより形成される。なお、第１と第２部材３３０，３４０の間には、シール部材３４１が設けられる。また、図１１に示すように、プッシュバー３００にはレール２１０を受け入れる溝部３００Ａが設けられている。
【００４２】
上述した内容について要約すると、以下のようになる。すなわち、本実施の形態に係る余剰液吸引機構は、複数の試薬パッド２Ａが長手方向（矢印ＤＲ２方向）に配列された短冊状の試験紙２に付着した「余剰液」としての余剰尿を吸引する余剰尿吸引機構である。余剰尿吸引機構は、試験紙２が載置されるテーブル２００と、試験紙２に対向する面に形成された「孔部」としての吸引口３１０と吸引口３１０に連通する内部空間３２０とを有し、テーブル２００上に載置された試験紙２をその幅方向（矢印ＤＲ１方向）に押してスライド移動させる「スライド機構」としてのプッシュバー３００と、プッシュバー３００における内部空間３２０内の余剰尿を吸引する「吸引装置」としての吸引ポンプ５００とを備える。
【００４３】
テーブル２００は、テーブル２００の主表面から突出し、試験紙２のスライド移動方向に延びるように形成された複数のレール２１０を有する。レール２１０には、凸部２１１が形成されている。凸部２１１は、スライド移動中の試験紙２を上下に移動させ、スライド移動中の試験紙２を試験紙２の幅方向に傾けるとともに、スライド移動中の試験紙２をプッシュバー３００に向けて押し付けることが可能である。
【００４４】
本実施の形態に係る余剰尿吸引機構によれば、各々の試薬パッド２Ａが該試薬パッド２Ａに付着した余剰尿をプッシュバー３００の吸引口３１０に流入させるのに適した高さを通過するように、スライド移動中の試験紙２を上下移動または傾斜させることができる。また、スライド移動中の試験紙２をプッシュバー３００に向けて押し付けることにより、余剰尿が付着した試薬パッド２Ａとプッシュバー３００の吸引口３１０とを密着させることができる。この結果、試験紙２の反りや各々の試薬パッド２Ａごとの高さの違いが存在する場合にも、各々の試薬パッド２Ａに付着した余剰尿を吸引させやすくすることができる。また、試験紙２をプッシュバー３００に密着させることによって、試験紙２の方向のずれ（位置ずれ）を矯正することもできる。
【００４５】
また、本実施の形態に係る余剰尿吸引機構によれば、試験紙２がレール２１０上をスライド移動するため、試験紙２のスライド抵抗が減少する。また、吸引口３１０に流入しない余剰尿はレール２１０間に流下するため、当該余剰尿が他の試験紙２に触れることがない。したがって、各項目の正確な検査を行なうことが可能である。
【００４６】
なお、上記の例では、レール２１０上に凸部２１１を設ける例について説明したが、凸部２１１が設けられる位置は、レール２１０上に限定されず、たとえば、２本のレールの間から凸部２１１が突出していてもよい。また、凸部２１１に代えて、たとえば、図１２に示すような凹部２１２が設けられてもよいし、凸部２１１に代えて、たとえば、図１３に示すような段差部２１３が設けられてもよい。
【００４７】
また、上記の例では、プッシュバー３００が尿化学分析装置１の前方からみて右側から左側に向かう方向（矢印ＤＲ１方向）に試験紙２を押す例について説明したが、尿化学分析装置１は、プッシュバー３００が上記の例とは逆の方向（すなわち、尿化学分析装置１の前方からみて左側から右側に向かう方向）に試験紙２を押すように構成されてもよい。
【００４８】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【図面の簡単な説明】
【００４９】
【図１】本発明の１つの実施の形態に係る化学分析装置の構成を示す分解斜視図である。
【図２】図１に示される化学分析装置におけるテーブルの周辺を示す上面図である。
【図３】図１に示される化学分析装置における余剰尿吸引機構の構成を模式的に示す図である。
【図４】図３に示される余剰尿吸引機構における試薬パッドと吸引口との位置関係を示す斜視図である。
【図５】図３に示される余剰尿吸引機構を矢印Ｖの方向から見た図である。
【図６】図３に示される余剰尿吸引機構を矢印ＶIの方向から見た図である。
【図７】図３〜図６に示される余剰尿吸引機構において、試験紙が凸部を通過する際の挙動を説明する図である。
【図８】図３〜図６に示される余剰尿吸引機構に含まれるプッシュバーを示す図である。
【図９】図８に示されるプッシュバーによる試験紙の押出機能を説明する図である。
【図１０】図８におけるＸ−Ｘ断面図である。
【図１１】図１０におけるＸI−ＸI断面図である。
【図１２】余剰尿吸引機構に含まれるレール形状の１つの変形例について説明する図である。
【図１３】余剰尿吸引機構に含まれるレール形状の他の変形例について説明する図である。
【符号の説明】
【００５０】
１  尿化学分析装置、２  試験紙、２Ａ  試薬パッド、１００  本体、１１０  タッチスクリーン、１２０  プリンタ、１３０  測定部、２００  テーブル、２００Ａ  載置部、２１０  レール、２１１  凸部、２１２  凹部、２１３  段差部、２２０  持ち上げ板、２３０  ガイド部、３００  プッシュバー、３００Ａ  溝部、３１０  吸引口、３２０  内部空間、３２１  主配管、３２２  副配管、３３０  第１部材、３４０  第２部材、３４１  シール部材、３５０  第３部材、３６０  押出部材、３６１  ピン、３６２  スプリング、３７０  リリース棒、４００  廃棄トレイ、５００  吸引ポンプ、６００  駆動機構、６１０  モータ、６２０  ボールねじ。
【図１】
0004882097.tif 000002
【図２】
0004882097.tif 000003
【図３】
0004882097.tif 000004
【図４】
0004882097.tif 000005
【図５】
0004882097.tif 000006
【図６】
0004882097.tif 000007
【図７】
0004882097.tif 000008
【図８】
0004882097.tif 000009
【図９】
0004882097.tif 000010
【図１０】
0004882097.tif 000011
【図１１】
0004882097.tif 000012
【図１２】
0004882097.tif 000013
【図１３】
0004882097.tif 000014